(57)【要約】【課題】  一方の押下げヘッドに、両方の押下げヘッドの全面を覆う押さえ板を廻動自在に取り付け、二液混合噴出と一液選択噴出を確実に切換えられるようにした液噴出器を提供すること。【解決手段】  容器本体と、該容器本体に装着され噴出ノズルを具えたノズルヘッドとを備えた一対の噴出容器を組合わせた液噴出器であって、一方のノズルヘッドに、両方のノズルヘッド頂壁を覆う押え板を廻動自在に取着したことを特徴とする。【選択図】  図１
2005132469.tif 000002
【特許請求の範囲】
【請求項１】
容器本体と、該容器本体に装着され噴出ノズルを具えたノズルヘッドとを備えた一対の噴出容器を組合わせた液噴出器であって、
一方のノズルヘッドに、両方のノズルヘッド頂壁を覆う押え板を廻動自在に取着したことを特徴とする液噴出器。
【請求項２】
押え板が、一方のノズルヘッドの端縁部に蝶番を介して廻動自在に装着されていることを特徴とする請求項１記載の液噴出器。
【請求項３】
押え板が、一方のノズルヘッドの頂壁面に廻動自在に取着されていることを特徴とする請求項１記載の液噴出器。
【請求項４】
容器本体と、該容器本体に装着され噴出ノズルを具えたノズルヘッドとを備えた一対の噴出容器を組合わせた液噴出器であって、
一方のノズルヘッドを廻動可能として、該ノズルヘッドに押え板を連設して、他方のノズルヘッドの頂壁に接合可能としたことを特徴とする液噴出器。
【発明の詳細な説明】
【技術分野】
【０００１】
本発明は、二液混合噴出と、一液選択噴出を可能とした液噴出器に関するものである。
【背景技術】
【０００２】
化粧料、毛染液等の二液を、所要に応じて単独、または混合して噴出できるようにした噴出容器において、ステムの上端に押下げヘッドを取着した二つの容器を一体に保持し、双方の押下げヘッドの間に、両方の押下げヘッドの押上げ面に係合する押下げ板を装着し、いずれかの押下げヘッドを押下げることによって一方の容器から所望する内容液を噴出させ、押下げ板を押下げることによって両方の容器から内容液を噴出混合するようにした二液混合兼一液選択噴出容器は、従来より知られている（例えば特許文献１参照）。
【特許文献１】特開２００２−５９９８１
【発明の開示】
【発明が解決しようとする課題】
【０００３】
しかしながら、上記従来の噴出容器では、押下げ板の面積が広くないため、二液を混合噴出するときに、押下げ板から手指がずれたり、離れてしまったりするおそれがあった。
【０００４】
本発明は、上記の事情を考慮し、一方の押下げヘッドに、両方の押下げヘッドの全面を覆う押さえ板を廻動自在に取り付け、二液混合噴出と一液選択噴出を確実に切換えられるようにした液噴出器を提供することを目的とする。
【課題を解決するための手段】
【０００５】
本発明は、上記の課題を解決するため、液噴出器として、容器本体と、該容器本体に装着され噴出ノズルを具えたノズルヘッドとを備えた一対の噴出容器を組合わせた液噴出器であって、一方のノズルヘッドに、両方のノズルヘッド頂壁を覆う押え板を廻動自在に取着したことを特徴とする構成を採用する。
【０００６】
押え板の取付形態として、押え板が、一方のノズルヘッドの端縁部に蝶番を介して廻動自在に装着されていることを特徴とする構成、または、押え板が、一方のノズルヘッドの頂壁面に廻動自在に取着されていることを特徴とする構成を採用する。
【０００７】
液噴出器の別実施例として、容器本体と、該容器本体に装着され噴出ノズルを具えたノズルヘッドとを備えた一対の噴出容器を組合わせた液噴出器であって、一方のノズルヘッドを廻動可能として、該ノズルヘッドに押え板を連設して、他方のノズルヘッドの頂壁に接合可能としたことを特徴とする構成を採用する。
【発明の効果】
【０００８】
ノズルヘッドに押え板を廻動自在に取り付け、双方のノズルヘッドを連結することと、ノズルヘッドの連結を切り離すことが明白に区別できるようにしたので、双方のノズルヘッドを同時に押下げて二液を噴出すること、および一方のノズルヘッドを押下げ、一液を選択して噴出することを確実に切換えられるようになった。
【０００９】
また、一方のノズルヘッドに押え板を連設して、該ノズルヘッドを廻動することによって、押え板と他のノズルヘッドの頂壁に接合、切離し可能としたから、双方のノズルヘッドを同時に押下げることと、一方のノズルヘッドを選択して押下げることとを確実に切換えられるようになった。
【発明を実施するための最良の形態】
【００１０】
次に、本発明の液噴出器について実施例をあげ、図面を参照して説明する。
【実施例１】
【００１１】
本実施例は、一方のノズルヘッドに、二つのノズルヘッドを覆う押え板を垂直面上で廻動可能として取着したものである。
図１、２において、Ａは、容器本体Ａ１と該容器本体Ａ１に取付キャップＡ２を介して取着され、上端にノズルヘッドＡ３を具えたポンプとからなる噴出容器、ＢはノズルヘッドＡ３に取着された押え板、Ｃは一対の噴出容器Ａを収納する外容器、Ｄは肩カバー、Ｅはオーバーキャップである。
【００１２】
図２、３に示すように、容器本体Ａ１は、口部１と肩部２、胴部３と底部４とからなり、口部１は円形で外周にはねじが螺設され、肩部２と胴部３の横断面は、六角形状となっており、胴部３の側壁５は、内側側面５ａと前後側面５ｂ、５ｄ、外側側面５ｃと、角部の傾斜面５ｅ、５ｆとから構成されている。
【００１３】
取付キャップＡ２は、パッキンを介してポンプを容器本体Ａ１の口部１に取付けており、その上面には、案内筒６が立設されている。
【００１４】
ポンプのピストンの上端には、ステム７が取付けられ、該ステム７には、噴出ノズル８を設けたノズルヘッドＡ３が、容器本体Ａ１と位置合わせされて取付けられている。
【００１５】
ポンプは、ノズルヘッドＡ３を押下げることによって一定量の内容液を吸い上げ、噴出ノズル８から噴出する公知のものでよい。
【００１６】
ノズルヘッドＡ３は、頂壁９と側周壁１０とを具えており、その横断面形状は、容器本体Ａ１の横断面形状にほぼ相似する六角形となっている。
側周壁１０の上部には、内側側面１１に沿ってステム７に連結された噴出口１２を具えた前記噴出ノズル８が突設されており、二つのノズルヘッドＡ３のそれぞれは、内側側面１１を接合するよう位置合わせされて、容器本体Ａ１のポンプのステム７に装着されている。
【００１７】
一方のノズルヘッドＡ３Ａの側周壁１０の側面１３には、蝶番用の切欠き１４が刻設されており、切欠き１４の両側には、対向する角部の傾斜面を通じて軸受孔１５が穿孔されている。
【００１８】
押え板Ｂは、図４に示すように、頂壁１６と側周壁１７とからなり、頂壁１６の外形は、接合したノズルヘッドＡ３の二つの頂壁９、９と同形であり、側周壁１７の長径側端縁には、中央に軸受孔１８を穿孔した蝶番用の連結部１９が設けられている。
軸受孔１５、１８を通じて蝶番用軸ピン２０が嵌挿され、押え板Ｂは、一方のノズルヘッドＡ３Ａに廻動自在に枢着されている。
また、押え板Ｂを、側周壁１７をなくして一枚の板状体として成形してもよい。
【００１９】
図２に示すように、外容器Ｃは、側周壁２５と底壁２６とからなり、その横断面形状は、内側側面５ａを接合した二つの容器本体Ａ１の外形とほぼ等しく、一対の容器本体Ａ１を収納可能としている。
側周壁２５の上端部は縮径され、膨出部を設けた嵌合部２７となっている。
【００２０】
図１、２に示すように、肩カバーＤは、容器本体Ａ１の肩部２と、取付キャップＡ２の部分を覆う下方部Ｄ１と、下方部Ｄ１より縮径され、ノズルヘッドＡ３を案内する上方部Ｄ２とからなっている。
下方部Ｄ１は、垂直筒部３０とテーパーを有する角錐部３１とを具えており、垂直筒部３０の横断面は、外容器Ｃと同形の形状をしており、下端部には、外容器Ｃの嵌合部２７に係合する係合部３２が設けられている。
角錐部３１は、漸次縮径され、上端には段部３３が設けられている。
【００２１】
上方部Ｄ２は、段部３３の内周縁から立ち上がる角筒部３４と、該角筒部３４に連設された角錐部３５とからなっており、角筒部３４の上端部には、前後左右の側面に膨出部３６が突設されている。
角錐部３５の上端３７は、ノズルヘッドＡ３の側周壁１０に摺接するように同形となっている。
【００２２】
図１、２に示すように、オーバーキャップＥは、頂壁４０と側周壁４１とからなっており、その外形は、角筒部３４と同形の八角形状であり、側周壁４１の下方部には、角筒部３４の膨出部３６に係合する凹溝４２が設けられ、下端が段部３３に当接されるようになっている。
【００２３】
次に、本実施例の噴出器の使用態様と作用効果について説明する。
噴出容器Ａには、化粧料、毛染料等、二液を混合して使用するために、所要の内容液がそれぞれの容器本体Ａ１に収納され、次いで、ポンプが、取付キャップＡ２により容器本体Ａ１の口部１に取着される。
【００２４】
次に、ポンプを取着した容器本体Ａ１をそれぞれの内側側面５ａが接合するよう外容器Ｃに収納し、その上から肩カバーＤを被嵌し、次いで、ノズルヘッドＡ３をポンプのステムに取着して噴出容器Ａとして、肩カバーＤ内に収納する。
最後に、オーバーキャップＥが被嵌され、液噴出器の組立てが完了する。
その際には、容器本体Ａ１の底部４は、外容器Ｃの底壁２６上に載置され、肩カバーＤの上端３７内周は、ノズルヘッドＡ３の外周に摺接し、ノズルヘッドＡ３の上下動を案内するようにしている。
【００２５】
液噴出器の使用にあたっては、オーバーキャップＥを開くと、図１に示すように、双方のノズルヘッドＡ３を押え板Ｂで覆われた一対の噴出容器Ａが露呈される。
そこで、押え板Ｂを上から押圧すると、双方のノズルヘッドＡ３が押下げられ、二つの噴出ノズル８から内容液が噴出される。
噴出された内容液を、噴出ノズル８の前方でコップや手のひら等で受け、混合した上で所要個所に塗布することができる。
【００２６】
次に、一液のみを選択して噴出させるときには、図４に示すように、押え板Ｂを蝶番を中心に上方に廻動させると、押え板ＢをノズルヘッドＡ３Ａの端縁上で直立させることができる。
そこで、所望のノズルヘッドＡ３を押下げると、噴出ノズル８から所望する内容液を噴出させることができる。
【００２７】
したがって、押え板を廻動操作することによって、同時噴出と、一液選択噴出を確実に切換えることができる。
【実施例２】
【００２８】
次に、一方のノズルヘッドに、二つのノズルヘッドを覆う押え板を水平面上で廻動可能として取着した実施例について説明する。
図５、６に示すように、Ａａは容器本体Ａ１ａと、該容器本体Ａ１ａに取付キャップＡ２ａを介して取着され、上端にノズルヘッドＡ３ａを具えたポンプとからなる噴出容器、Ｂａは一方のノズルヘッドＡ３ａの頂壁に廻動自在に取着された押え板、Ｃａは外容器、Ｄａは肩カバー、Ｅａはオーバーキャップである。
【００２９】
図６、７に示すように、容器本体Ａ１ａは、口部１ａと肩部２ａ、胴部３ａと底部４ａとから構成されており、肩部２ａと胴部３ａの横断面形状は、楕円を短径線で切断した形状であり、側面は、直立面５０と楕円弧面５１とから形成されている。
口部１ａには、第１実施例と同様に、取付キャップＡ２ａを介して、噴出ノズル５２を有するノズルヘッドＡ３ａが装着されている。
【００３０】
ノズルヘッドＡ３ａは、頂壁５３と側周壁５４とを具えており、頂壁５３の形状は、図７に示すように、胴部３ａと同様に、直立面５５と楕円弧面５６とから形成されている。
一方のノズルヘッドＡ３ａの頂壁５３の所定の位置には、上端に膨出環を設けた押え板Ｂａの支持軸５７が立設されている。
【００３１】
押え板Ｂａは、両方のノズルヘッドＡ３ａを覆う楕円形状の板体５８であって、所定の位置に支持軸５７に嵌合する軸孔５９が穿設され、一方のノズルヘッドＡ３ａに廻動自在に取着されている。
【００３２】
外容器Ｃａは、前記第１実施例と同様に、直立面５０を接合した一対の容器本体Ａ１ａを収納する楕円形状の外周壁６０と底壁６１とを具えており、外周壁６０の上端には、嵌合部が設けられている。
【００３３】
肩カバーＤａは、前記第１実施例と同様に、段部６３を境として下方部Ｄ１ａと上方部Ｄ２ａとから形成され、その外形は、楕円形状となっている。
下方部Ｄ１ａは、外容器Ｃａ上端の嵌合部に嵌着されており、上方部Ｄ２ａの中間には前後左右に膨出部６４が設けられ、上端６５の内周は、ノズルヘッドＡ３ａ外周に接合するようになっている。
【００３４】
オーバーキャップＥａは、楕円形状の頂壁６６と、側周壁６７とからなり、側周壁６７下端内周には、膨出部６４に係合する凹溝が設けられ、下端は、肩カバーＤａの段部６３に当接するようにされている。
【００３５】
次に、本実施例の液噴出器の使用態様と作用効果について説明する。
液噴出器の使用にあたって、オーバーキャップＥａを開くと、図５に示すように、押え板Ｂａで双方のノズルヘッドＡ３ａを覆った一対の噴出容器Ａａが露呈される。
そこで、押え板Ｂａを上から押圧すると、双方のノズルヘッドＡ３ａが押下げられ、二つの噴出ノズル５２から内容液が噴出される。
【００３６】
次に、一液を選択噴出させるときには、図７（ｂ）、図８に示すように、押え板Ｂａを支持軸５７を中心に頂壁５３面上で１８０度近くまで廻動させると、二つのノズルヘッドＡ３ａが完全に分離して、それぞれのノズルヘッドＡ３ａを選択して押下げることができるようになる。
そこで、所望のノズルヘッＡ３ａを押下げると、所望する内容液を噴出させることができる。
【００３７】
上記第２実施例では、ノズルヘッドＡ３ａの頂壁上に押え板Ｂａの支持軸５７を設けたが、ノズルヘッドに軸孔を穿設し、押え板に支持軸を設けるようにしてもよい。  
また、押え板を板状体としたが、第１実施例同様に、頂壁と側周壁とからなる箱型とし、所定の位置に支持軸に嵌挿される軸孔を穿孔した軸受体を設けてもよい。
【００３８】
前記第１、第２実施例では、容器本体、ノズルヘッド、外容器、肩カバー等の横断面形状について特定の形状を示したが、角部を丸めた四角形、種々の形状の楕円形等を採用することができ、実施例に限定されない。
【００３９】
また、押え板の取着について、第１実施例では、ノズルヘッドの端縁部に蝶番を介して垂直面上で廻動可能として取着し、第２実施例では、ノズルヘッド壁面上の支持軸に水平面上で廻動可能として取着しているが、押え板の取付方法として、第１実施例のノズルヘッドに第２実施例の取着方法を適用してもよく、また、第２実施例のノズルヘッドに第１実施例の取着方法を適用するようにしてもよい。
【００４０】
前記第１、第２実施例では、ポンプを取着した容器本体を外容器に入れ、肩カバーを被嵌し、その後にノズルヘッドをポンプのステムに嵌挿するようにしたが、肩カバーの上方部に、肩カバーの被嵌時に噴出ノズルが通過できるような切欠きを設けてもよい。
その場合には、ノズルヘッドをステムに取付け、完成された噴出容器を外容器に収納し、その後に肩カバーを被嵌することができ、噴出容器の取換えが容易にできる。
【実施例３】
【００４１】
次に、押え板を取着したノズルヘッドを廻動させるようにした第３実施例について説明する。
図９において、ＡＡは容器本体ＡＡ１と、該容器本体ＡＡ１に取付キャップＡＡ２を介して取着され、上端にノズルヘッドＡＡ３を具えたポンプとからなる噴出容器、ＡＢは容器本体ＡＢ１と、該容器本体ＡＢ１に取付キャップＡＢ２を介して取着され、上端にノズルヘッドＡＢ３を具えたポンプとからなる噴出容器、Ｆは容器連結部材、Ｇは容器支持台、Ｅｂはオーバーキャップである。
【００４２】
図９、１０に示すように、容器本体ＡＡ１、ＡＢ１は、それぞれ口部（図示されない）と肩部７１、胴部７２と底部７３とからなり、肩部７１と胴部７２、底部７３の横断面形状は楕円を短径線で切断した形状であり、側面は直立面７４と楕円弧面７５とから形成されている。
肩部７１は、上面と胴部７２の楕円弧面７５より縮径された肩側面７６とからなり、底部７３は、胴部７２の楕円弧面７５より縮径された底側面７７と底壁とからなっている。
【００４３】
二つの容器本体ＡＡ１と容器本体ＡＢ１は、直立面７４が接合するようにして組合わされる。
【００４４】
取付キャップＡＡ２、ＡＢ２の上面には、案内筒７８、７８ａが立設されており、案内筒７８には、ノズルヘッドＡＡ３のための位置決め用の縦溝７９が刻設されている。
【００４５】
それぞれの容器本体ＡＡ１、ＡＢ１の口部には、取付キャップＡＡ２、ＡＢ２を介してポンプが取着されており、ポンプのステムの上端には、それぞれノズルヘッドＡＡ３、ＡＢ３が取着されている。
【００４６】
ノズルヘッドＡＡ３は、頂壁８０と側周壁８１を具えており、側周壁８１の上部には、噴出ノズル８２が突設されている。
噴出ノズル８２の下方には、位置決め用の突条８３が突設されており、該突条８３が案内筒７８の縦溝７９に係合して、ノズルヘッドＡＡ３の側周壁８１は案内筒７８内に摺接して上下動するようになっている。 
【００４７】
ノズルヘッドＡＢ３は、頂壁８０ａと側周壁８１ａを具えており、側周壁８１ａの上部近くに噴出ノズル８２ａが突設されており、頂壁８０ａに沿って側周壁８１ａの上端から噴出ノズル８２ａの軸線に直交する方向に延びる押え板８４が連設されている。
【００４８】
両ノズルヘッドＡＡ３、ＡＢ３を二つの噴出ノズル８２、８２ａが容器本体ＡＡ１、ＡＢ２の接合面と同一の方向になるよう位置合わせして取着され、そのときには、押え板８４は、ノズルヘッドＡＡ３の全面を覆うようになっている。
【００４９】
容器連結部材Ｆは、容器本体ＡＡ１、ＡＢ１を直立面７４が接合するように一体化した場合に、肩部７１の肩側面７６に係合するように楕円形状の帯状体に形成され、上部の前後左右には、膨出部８５が設けられている。
【００５０】
容器支持台Ｇは、側周壁８６と底壁８７とからなり、容器本体ＡＡ１、ＡＢ１のそれぞれの底部７３を載置するようになっている。  
【００５１】
オーバーキャップＥｂは、頂壁８８と側周壁８９とからなり、側周壁８９の下端には、膨出部８５に係合する凹溝が刻設され、下端は、胴部７２上端の段部に当接するようになっている。
【００５２】
次に、本実施例液噴出器の使用態様と作用効果について説明する。
液噴出器の組立は、ノズルヘッドＡＡ３を噴出ノズル８２が噴出容器ＡＡ、ＡＢの接合面に平行する方向になり、押え板８４がノズルヘッドＡＡ３を押さえるように位置合わせし、容器本体ＡＡ１、ＡＢ１に取付け、噴出容器ＡＡ、ＡＢを組み立てる。
次いで、噴出容器ＡＡ、ＡＢが、容器支持台Ｇに載置され、容器連結部材Ｆを容器本体ＡＡ１、ＡＢ１の肩側面７６に嵌合させて一体化し、液噴出器が組立てられる。
【００５３】
液噴出器の使用にあたって、オーバーキャップＥｂを開くと、図９に示すように、噴出ノズル８２、８２ａの噴出方向を同一にし、押え板８４によってノズルヘッドＡＡ３の頂壁８０が押さえられるようにして、噴出容器ＡＡ、ＡＢが露呈される。
【００５４】
そのままの状態で、押え板８４を押圧すると、双方のノズルヘッドＡＡ３、ＡＢ３が押下げられ、噴出ノズル８２、８２ａから内容液が噴出される。
一液のみを選択して噴出させる場合には、図１１に示すように、押え板８４を１８０度廻動させると、双方のノズルヘッドＡＡ３、ＡＢ３は分離し、噴出ノズル８２ａが１８０度廻動される。
【００５５】
ノズルヘッドＡＡ３を押下げると、噴出ノズル８２から内容液を噴出させることができ、また、液噴出器を持ちかえ、１８０度廻動させて、ノズルヘッドＡＢ３を押下げると噴出ノズル８２ａから内容液を噴出させることができる。
【００５６】
また、前記各実施例では、噴出ノズルから内容液を噴出するようにしたが、ノズルヘッドに噴霧ノズルを取付け、噴霧するようにしてもよい。
【産業上の利用可能性】
【００５７】
一方のノズルヘッドに押え板を廻動可能に取着し、他方のノズルヘッドと連結、切離し自在とし、ノズルヘッドの同時押下げ、選択押下げを可能としたから、化粧料、毛染料等の二液混合、一液選択噴出を確実に切換えることができ、二液混合噴出器の利用範囲を広げ、化粧料ばかりでなく、食品、その他の分野でも利用できるようになった。
【図面の簡単な説明】
【００５８】
【図１】本発明第１実施例の液噴出器の斜視図である。
【図２】液噴出器の一部断面立面図である。
【図３】肩カバーを取外したときの上面図で、（ａ）は押え板を閉じた状態、（ｂ）は押え板を開いた状態の説明図である。
【図４】使用時の説明図である。
【図５】第２実施例の液噴出器の斜視図である。
【図６】液噴出器の一部断面立面図である。
【図７】肩カバーを取外したときの上面図で、（ａ）は押え板を閉じた状態、（ｂ）は押え板を開いた状態の説明図である。
【図８】使用時の説明図である。
【図９】第３実施例の液噴出器の斜視図である。
【図１０】液噴出器の一部断面立面図である。
【図１１】使用時の説明図である。
【符号の説明】
【００５９】
Ａ、Ａａ、ＡＡ、ＡＢ          噴出容器
Ａ１、Ａ１ａ、ＡＡ１、ＡＢ１  容器本体
Ａ２、Ａ２ａ、ＡＡ２、ＡＢ２  取付キャップ
Ａ３、Ａ３Ａ、Ａ３ａ、ＡＡ３、ＡＢ３  ノズルヘッド
Ｂ、Ｂａ、８４  押え板
Ｃ、Ｃａ        外容器
Ｄ、Ｄａ        肩カバー       
Ｄ１、Ｄ１ａ    下方部
Ｄ２、Ｄ２ａ    上方部
Ｅ、Ｅａ、Ｅｂ  オーバーキャップ
Ｆ              容器連結部材
Ｇ              容器支持台
５              側壁
５ａ            内側側面
８、５２、８２、８２ａ  噴出ノズル
９、８０、８０ａ    頂壁
１０、８１、８１ａ  側周壁
１１            内側側面
１３            側面
１４            切欠き
１５            軸受孔
１６、５３      頂壁
１７、５４      側周壁
１８            軸受孔
１９            連結部   
２０            蝶番用軸ピン
３７、６４      上端
５０、５５、７４  直立面
５１、５６、７５  楕円弧面
５７            支持軸
５８            板体
５９            軸孔
６０            外周壁
７６            肩側面
７７            底側面
７８、７８ａ    案内筒
７９            縦溝
８３            突条
【図１】
2005132469.tif 000003
【図２】
2005132469.tif 000004
【図３】
2005132469.tif 000005
【図４】
2005132469.tif 000006
【図５】
2005132469.tif 000007
【図６】
2005132469.tif 000008
【図７】
2005132469.tif 000009
【図８】
2005132469.tif 000010
【図９】
2005132469.tif 000011
【図１０】
2005132469.tif 000012
【図１１】
2005132469.tif 000013